【事件の表示】
　平成４年　特許　願　第１７１０７号「ガントリー室内部に配置されるリアルタイムＭＲ画像化システム及び方法」拒絶査定に対する審判事件（平成４年１１月４日出願公開、特開平４−３１２４４６）について、次のとおり審決する。
【結論】
　本件審判の請求は、成り立たない。
【理由】
１．出願の経緯・本願発明
　本願は平成４年１月３１日の出願（米国での出願に基づくパリ条約による優先日：１９９１年２月４日）であって、その請求項１〜請求項１６に係る発明は、平成８年８月２６日付け手続補正書により補正された特許請求の範囲の請求項１〜請求項１６に記載されたとおりのものと認められるところ、その請求項１に係る発明は以下のとおりである。
　「磁気共鳴画像化システムにおいて、シールドされた同一のガントリー室内に配置されたＭＲＩ磁石並びにこれに関連するＲＦコイル、傾斜磁場コイル、患者移動装置、及びＭＲＩモニタと、
　前記傾斜磁場コイル、ＲＦコイル及びモニタに接続されていて、リアルタイムでＭＲＩを連続的に実行するように適合したＭＲＩ制御システムとを具備してなり、
　前記ＭＲＩ制御システムは、前記磁石内側に配置される患者の画像化領域を自動的、連続的に更新する画像シーケンスのビデオ信号を、前記ガントリー室内のモニタに提供するものであり、前記モニタは、ビデオ信号を受けて画像を表示するものであって、前記ＲＦコイルからＲＦシールドにより適切にＲＦ分離されていることを特徴とする磁気共鳴画像化システム。」（以下「本願発明」という。）
２．引用例
　（１）これに対して、原査定の理由において引用された特開昭６４−８０３５４号公報（以下、「引用例１」という）には、以下の事項が記載されている。
［１−１］（第１頁右下欄第１４行目〜同欄第１８行目）　　　
　　「（産業上の利用分野）
　この発明は人材内の水素原子が静磁場内において固有の周波数で共鳴状態になる磁気共鳴現象を応用し、人体の任意部位の断層画像を得る磁気共鳴イメージングシステムに関するものである。
［１−２］（第１頁右下欄第１９行目〜第２頁左下欄第７行目・第３図）　　　　　　　　　　　　　　　　　　
（従来の技術）
　第３図は例えば「三菱電機技報」Ｖｏｌ．６０、Ｎｏ．５（１９６８年）の第３７ページから第４２ページに示された従来の磁気共鳴イメージングシステムを示す概略構成図である。この図において、（１）は安定な静磁場を発生する超電導マグネット、（２）はこの超電導マグネット（月に隣接して設けられた診察台で、その上面に超電導マグネット（１）の内部に迄移動し得る天板（２Ａ）が設けられ、図示のように、患者（３）を超電導マグネット（１）内に導入し得るようにされている。（４）はＲＦ送受信機で、高周波パルスを発生し、超電導マグネット（１）内に位置するＲＦコイル（５）を通じて高周波磁場を放射し、患者（３）の人体内で水素原子の磁気共鳴を発生させると共に、その共鳴信号をＲＦコイル（５）を通じて受信するものである。（６）は傾斜磁場電源で、前述した高周波磁場と共働して患者（３）の所定部位の断層画像を得るためのものである。（７）はシーケンスコントローラで、１枚の断層画像を得るために、ＲＦ送受信機（４）および傾斜磁場電源（６）の動作を必要回数繰り返すためのものである。（８）画画像処理装置で、ＲＦ送受信機（４）からの磁気共鳴信号を受けかつこれを断層画像として再構成するものである。（９）はオペレータコンソールで、画像処理装置（８）からの信号を受けてＣＲＴ画面（９Ａ）に表示させ、画像の観察を行うと共に、撮像についてのオペレータ（図示しない）の指示を与える装置である。
…画像処理装置（８）では磁気共鳴信号をアナログ−ディジタル変換した後高速演算処理により断層画像として再構成し、オペレータコンソール（９）のＣＲＴ画面（９Ａ）に表示出力する。…なお、オペレータコンソール（９）上のＣＲＴ画面（９Ａ）には断層画像の他オペレータから患者への指示である対話用文字表示も行なわれる。」
［１−３］（第２頁右下欄第５行目〜同欄第１６行目、第１、２図）
　「（問題点を解決するための手段）
　この発明に係る磁気共鳴イメージングシステムは、オペレータコンソールに表示された患者への指示内容を超電導マグネット内の患者の前面位置に伝送する光ファイバ伝送装置を設けたものである。
（作用）
　この発明においては、光ファイバ伝送装置を設けたことにより、超電導マグネット内の静磁場を乱す二となくオペレータコンソール上の表示画面の内容をそのまま患者の前面に表示し、患者への直接伝達を可能とする。」
［１−４］（第２頁右下欄第１７行目〜第３頁左上欄第１６行目、第１、２図）
　第１図はこの発明の一実施例を示す概略構成図であり、図において、（１０）はＣＲＴ画面（９Ａ）の光信号を受光するための受光部で、第２図にその詳細を示すように、レンズ系（１０月および光ファイバ配列部（１０２）から構成されている。（１月は超電導マグネット（１）内で、患者（３）の前面に位置するように設けられた表示部で、…その他の構成は、第３図に示した従来システムと同様であるため説明を省略する。」（２）また、原査定の拒絶の理由において引用された特開平１−３０３１４４号公報（以下、「引用例２」という。）には、以下の事項が記載されている。
　［２−１］（第１頁右下欄第８行目〜同欄第１３行目）
　「（従来の技術）
　ＮＭＲイメージング装置に採用する磁場装置の漏洩磁場は、かなりの強度で広範囲にまで広がっており、近傍にある電子機器等に影響を与える。特に、ＣＲＴにおける磁場の影響は字ぶれや色ずれとなってあらわれる。」
［２一２］（第２頁左上欄１０行目〜同頁右上欄第１８行目）　　　　　　　　　　　　　　　　　　　　　　　　　
　「（作用）　　　　　　　　　　　　　　　　　　　　　
　本発明のＣＲＴディスプレイ装置は、側面を高透
磁率の磁気シールド材が覆っており、さらに、前面にはメッシュ状の磁気シールド材が使われている。
…　　　　　　　　　　　　　　　　
　（発明の効果）
本発明によれば、ＣＲＴに及ぼす磁場を効率よく遮蔽することができるので、大きな漏洩磁場を発生する磁石の近傍にＣＲＴディスプレイ装置を設置できる効果がある。」
３．対比・判断
　（１）そこで、本願発明と引用例１に記載された発明（以下、「引用発明」という。）とを比較すると、引用発明における
　▲１▼「磁気共鳴イメージングシステム」、
　▲２▼「超電導マグネット（１）」、
　▲３▼「ＲＦコイル（５）」、
　▲４▼引用例１において説明が省略されている、「傾斜磁場電源（６）に接続されて傾斜磁場を発生する部材、
　▲５▼「移動し得る天板（２Ａ）」、
　▲６▼「シーケンスコントローラ（７）」と「画像処理装置（８）」、
　▲７▼「表示部（１１）」、
　▲８▼患者（３）の所定部位の断層画像として再構成する画像処理装置（８）からＣＲＴ画面（９Ａ）に供給される信号は、それぞれ、本願発明における
　▲１▼「磁気共鳴画像化システム」、
　▲２▼「ＭＲＩ磁石」、
　▲３▼「ＲＦコイル」、
　▲４▼「傾斜磁場コイル」、
　▲５▼「患者移動装置」、
　▲６▼「リアルタイムでＭＲＩを連続的に実行するように適合したＭＲＩ制御システム」、
　▲７▼「モニタ」、
　▲８▼「磁石内側に配置される患者の画像化領域を自動的、連続的に更新する画像シーケンスのビデオ信号」
に相当する。
（２）また、磁気共鳴システムが、外部への磁場の漏洩及び外部磁場の影響を避けるべく、磁気シールドされたガントリ一室に超電導マグネット、ＲＦコイル、傾斜磁場を発生する部材、移動し得る天板を収容する必要があることは、当業者に明らかである。したがって、引用発明の前記▲２▼〜▲５▼の要素は、シールドされたガントリー室内に配置されていることは当業者に明らかである。
（３）さらに、引用発明の、画像処理装置（８）からＣＲＴ画面（９Ａ）に供給される信号により形成された画像の表示部として機能する表示部（１１）は天板上の患者の前面に位置するからこれも前記ガントリー室内に配置されていることは明らかであり、この表示部は、本願発明の画像の表示部であるモニタに対応する。
（４）してみると、両者は、「磁気共鳴画像化システムにおいて、シールドされた同一のガントリー室内に配置されたＭＲＩ磁石並びにこれに関連するＲＦコイル、傾斜磁場コイル、患者移動装置、及びＭＲＩモニタと、前記傾斜磁場コイル、ＲＦコイル及びモニタに接続されていて、リアルタイムでＭＲＩを連続的に実行するように適合したＭＲＩ制御システムとを具備してなり、前記ＭＲＩ制御システムは、前記磁石内側に配置される患者の画像化領域を自動的、連続的に更新する画像シーケンスの画像情報を、前記ガントリー室内の表示部に提供するようにした磁気共鳴画像化システム。」である点で一致する。
　そして、本願発明は表示部であるモニタがビデオ信号を受けて画像を表示するものであって、ＲＦコイルからＲＦシールドにより適切にＲＦ分離されているのに対し、引用発明は、患者（３）の所定部位の断層画像として再構成する画像処理装置（８）からの信号をＣＲＴ画面（９Ａ）に供給し、光ファイバ伝送装置１２を介してガントリー室内に配置された表１示部に伝送されるものである点で相違する。
　　そこで、上記相違について検討するに、引用例２において、磁気シールドの手段により、ＮＭＲイメージング装置に採用する磁場装置の磁石の近傍、すなわち磁場の大きいガントリー室にＣＲＴディスプレイ装置を設置できることが示唆されている。してみると、引用発明の、画像処理装置（８）からの信号をＣＲＴ画面（９Ａ）に供給し、光ファイバ伝送装置１２を介してガントリー室内に配置された表示部に画像を表示する代わりに、引用例２において公知の磁気シールドの手段により、ＣＲＴ画面（９Ａ）を光ファイバ伝送装置を介することなく直接表示部とすることは、当業者が格別困難なく想到できた事項である。なお、磁気共鳴画像システムにおいて、ＲＦノイズを低減するため、ＲＦコイルが外部から電波遮蔽されていなければならないことは当業者の常識であった。例えば、真野勇著「ＮＭＲ診断法１１９８５年４月１日株式会社秀潤社発行、第７６頁には、ＲＦパルスの発信及び受信部に一般的に要求されることとして「▲８▼共鳴周波数付近のＲＦノイズが、外部から混入しないこと」が挙げられている。また、その第１７３頁には、臨床用ＮＭＲ装置において努力が払われるべき点として「▲３▼検出コイルに入ってくる外部からの電磁遮蔽」が挙げられている．したがって、光ファイバ伝送装置を省略して直接表示部としたＣＲＴとＲＦコイルとの間をＲＦシールドすることは当業者が普通に採用する事項である。
　そして、本願発明の表示装置であるモニタがビデオ信号を受けて画像を表示するものであって、ＲＦコイルからＲＦシールドにより適切にＲＦ分離されている構成による効果は、引用例１、２の記載から予測される範囲のものである。
４．結び
　したがって、本願発明は引用例１、２に記載された発明に基づいて当業者が容易に発明をすることができたものと認められるから、特許法第２９条第２項の規定により特許を受けることができない。
　よって、結論のとおり審決する。